(57)【特許請求の範囲】
【請求項１】
多数の物品を複数の仕分けゾーンに仕分けるに際し、第１と第２のラベルを分離線に沿って分離可能にし、第１のラベルの全面と第２のラベルの一部を第１の剥離紙に貼り付け、第２のラベルの残部を第２の剥離紙に貼り付けた検品用ラベルを用いる検品方法であって、
検品用ラベルの第１のラベルと第２のラベルに同一の商品情報と仕分け先情報を付し、
各仕分けゾーンに物品を仕分けるとき、当該物品のために発行された検品用ラベルの第１のラベル及び第２のラベルを第１の剥離紙から剥離して第１のラベルを当該物品に貼り付け、当該物品に貼り付けた第１のラベルから第２のラベルを分離し、第２のラベルの第１の剥離紙から剥離された部分を当該仕分けゾーンのラベル貼付板に貼り付け、
各仕分けゾーンへの仕分け終了時に、当該仕分けゾーンのラベル貼付板に貼り付けた第２のラベルの商品情報と仕分け先情報を読み取り、当該仕分けゾーンに仕分けられた各商品の仕分け先毎の仕分け数量を検品する検品方法。
【請求項２】
前記仕分けゾーンのラベル貼付板に貼り付けてある第２のラベルをラベル貼付板から剥離した後、第２のラベルから第２の剥離紙を除去し、第２のラベルを当該仕分けゾーンに対応する仕分け実績として残すように該第２のラベルのラベル貼付板に接着されていない糊面を用いて管理台帳に貼り付ける請求項１に記載の検品用ラベルを用いる検品方法。
【発明の詳細な説明】
【０００１】
【発明の属する技術分野】
本発明は検品用ラベルを用いる検品方法に関する。
【０００２】
【従来の技術】
物流センターに納入された物品ケース（段ボール箱）を各仕分け先店の注文（商品名とその数量）に応じて仕分けるに際し、図４（Ａ）に示す如くの検品用ラベル１を用いている。検品用ラベル１は、第１と第２のラベル１Ａ、１Ｂを分離線３に沿って分離可能にし、第１のラベル１Ａを第１の剥離紙２Ａに、第２のラベル１Ｂを第２の剥離紙２Ｂに貼り付けている。第１のラベル１Ａと第２のラベル１Ｂには、同一の商品名情報（商品情報）と仕分け先店情報（仕分け先情報）が付される。
【０００３】
物品ケースを各仕分けゾーンに仕分けるときには、当該物品ケースのために発行された検品用ラベル１の第１のラベル１Ａを、図４（Ｂ）に示す如く、第１の剥離紙２Ａから剥離して当該物品ケースに貼り付ける。そして、この物品ケースをある仕分けゾーンに仕分けたとき、物品ケースに貼り付けている第１のラベル１Ａから第２のラベル１Ｂを第２の剥離紙２Ｂとともに切り離して当該仕分けゾーンのラベル入れに投入しておく。
【０００４】
各仕分けゾーンへの仕分け終了時に、当該仕分けゾーンのラベル入れに投入された第２のラベル１Ｂの商品名情報と仕分け先店情報をバーコードリーダ等で読み取れば、当該仕分けゾーンに仕分けられた各商品の仕分け先店毎の仕分け数量を検品できる。
【０００５】
【発明が解決しようとする課題】
従来技術では、第２のラベル１Ｂの全面を第２の剥離紙２Ｂに貼り付けており、第２のラベル１Ｂを第１のラベル１Ａから切り離したとき、第２のラベル１Ｂをラベル貼付板等に貼り付けるには第２の剥離紙２Ｂから剥離する必要があり、煩雑である。このため、第２のラベル１Ｂを第２の剥離紙２Ｂに貼り付けたままラベル入れに投入している。
【０００６】
しかしながら、ラベル入れに投入された多数の第２のラベル１Ｂを１枚ずつ取出してバーコードリーダ等で読み取り処理することにも、多くの困難を伴なう。
【０００７】
本発明の課題は、仕分けゾーンに仕分けられた物品を簡易に検品することにある。
【０００８】
【課題を解決するための手段】
請求項１の発明は、多数の物品を複数の仕分けゾーンに仕分けるに際し、第１と第２のラベルを分離線に沿って分離可能にし、第１のラベルの全面と第２のラベルの一部を第１の剥離紙に貼り付け、第２のラベルの残部を第２の剥離紙に貼り付けた検品用ラベルを用いる検品方法であって、検品用ラベルの第１のラベルと第２のラベルに同一の商品情報と仕分け先情報を付し、各仕分けゾーンに物品を仕分けるとき、当該物品のために発行された検品用ラベルの第１のラベル及び第２のラベルを第１の剥離紙から剥離して第１のラベルを当該物品に貼り付け、当該物品に貼り付けた第１のラベルから第２のラベルを分離し、第２のラベルの第１の剥離紙から剥離された部分を当該仕分けゾーンのラベル貼付板に貼り付け、各仕分けゾーンへの仕分け終了時に、当該仕分けゾーンのラベル貼付板に貼り付けた第２のラベルの商品情報と仕分け先情報を読み取り、当該仕分けゾーンに仕分けられた各商品の仕分け先毎の仕分け数量を検品するようにしたものである。
【０００９】
【発明の実施の形態】
検品用ラベル１０は、図１（Ａ）に示す如く、第１と第２のラベル１１Ａ、１１Ｂをミシン目等の分離線１３に沿って分離可能にし、第１のラベル１１Ａの糊面の全面と第２のラベル１１Ｂの糊面の一部を第１の剥離紙１２Ａで貼り付け、第２のラベル１１Ｂの糊面の残部を第２の剥離紙１２Ｂに貼り付けている。第１の剥離紙１２Ａと第２の剥離紙１２Ｂは縁切り線等の分離線１４に沿って分離可能とされている。
【００１０】
検品用ラベル１０は、物流センターに投入された多数の物品ケース（物品）２０を、各仕分け先店の注文（商品名とその数量）に応じて、複数の仕分けゾーンに仕分けるに際し、以下の如くに用いられる。
【００１１】
(1)納入された物品ケース２０は仕分け場に搬入され、仕分け場には各仕分けゾーンを構成することとなる複数のかご車３０が配置される。
【００１２】
(2)仕分け場における仕分け作業は、物流コンピュータが例えば仕分け作業者のハンディターミナル４０に送信する指令に基づいて行なわれる。
【００１３】
(3)仕分け作業者がハンディターミナル４０のバーコードリーダにより、仕分け場に搬入された仕分け対象物品たる物品ケース２０に付されている物品情報を読み取り、読み取られた物品情報を物流コンピュータに転送する。
【００１４】
(4)物流コンピュータは、上述(3)の物品情報に基づき、当該物品ケース２０の商品名等を認識し、当該物品ケース２０に付すべき検品用ラベル１０をハンディターミナル４０のプリンタから発行する。
【００１５】
ハンディターミナル４０のプリンタから発行される検品用ラベル１０は、第１のラベル１１Ａと第２のラベル１１Ｂに、同一の商品名情報（商品情報）と仕分け先店情報（仕分け先情報）が文字形式とバーコード形式の２つの形式で並ぶように印字されている。
【００１６】
仕分け作業者は、後述(6)で、第１のラベル１１Ａと第２のラベル１１Ｂに文字形式で印字されている仕分け先店情報たる店名を読み取り、この仕分け先店に対応させた仕分けゾーンとして、任意の、又は所定のかご車３０を割当てる。同一仕分け先店に対し複数のかご車３０を割当てることもある。各かご車３０にはかご番号が文字形式とバーコード形式の２つの形式を並べて付されている。
【００１７】
尚、物流コンピュータがハンディターミナル４０、検品用ラベル１０を介して指示する仕分け先としては、店に限らず、配送地域もあり得る。従って、第１のラベル１１Ａと第２のラベル１１Ｂに仕分け先配送地域情報が印字され、各かご車３０が各仕分け先配送地域に対応する仕分けゾーンを形成することもあり得る。
【００１８】
(5)仕分け作業者は、上述(3)の物品ケース２０に対し、上述(4)で発行された検品用ラベル１０を貼り付ける。このとき、検品用ラベル１０の第１のラベル１１Ａ及び第２のラベル１１Ｂを第１の剥離紙１２Ａから剥離し、第１のラベル１１Ａの糊面を当該物品ケース２０に貼り付ける（図１（Ｂ）、図２（Ａ））。
【００１９】
(6)仕分け作業者は、上述(5)の第１のラベル１１Ａが貼り付けられた物品ケース２０をかご車３０に投入する。このとき、仕分け作業者は、前述(4)で説明した如く、当該物品ケース２０の仕分け先店に対応する仕分けゾーンとして割当てられるかご車３０に、当該物品ケース２０を投入する。こうして仕分け作業が行われる。
【００２０】
(7)物品ケース２０のかご車３０への上述(6)の投入の前又は後に、仕分け作業者は、物品ケース２０に貼り付けてある第１のラベル１１Ａから第２のラベル１１Ｂを分離する（図１（Ｃ））。そして、第２のラベル１１Ｂにおいて、前述(5)で第１の剥離紙１２Ａから剥離された部分の糊面を、当該かご車３０に付帯してあるラベル貼付板３１（ラベル貼付部）に並べて貼り付ける（図２（Ｂ））。このとき、第２のラベル１１Ｂは、第２の剥離紙１２Ｂを伴なっている。
【００２１】
(8)かご車３０への仕分け終了時に、仕分け作業者は、図３に示す如く、ハンディターミナル４０のバーコードリーダを用いて、かご車３０のラベル貼付板３１に貼り付けた多数の第２のラベル１１Ｂのそれぞれにバーコード形式で印字されている商品名情報と仕分け先店情報を、当該かご車３０のかご番号とともに読み取り、これらを物流コンピュータに転送する。物流コンピュータは、各仕分け先店に対応する仕分けゾーンとしてのかご車３０に仕分けられた各商品の仕分け先店毎の仕分け数量を認識し、認識した実績値を目標値と比較した、仕分け先店単位の仕分け内容に対する検品結果を出力する。
【００２２】
尚、かご車３０のラベル貼付板３１に貼り付けてある第２のラベル１１Ｂは、一部の糊面がラベル貼付板３１に貼られているだけであってラベル貼付板３１から容易に剥離でき、接着されていない糊面が残っている。従って、第２のラベル１１Ｂをラベル貼付板３１から剥離した後、第２のラベル１１Ｂから第２の剥離紙１２Ｂを除去し、第２のラベル１１Ｂを当該かご車３０に対応する仕分け実績として残すようにその残っていた新たな糊面を用いて管理台帳等に確実に貼り付けることもできる。
【００２３】
本実施形態によれば以下の作用がある。
▲１▼検品用ラベル１０は、第１のラベル１１Ａの全面と第２のラベル１１Ｂの一部を第１の剥離紙１２Ａに貼り付けている。従って、第１の剥離紙１２Ａから剥離されて仕分け物品ケース２０に貼り付けられた第１のラベル１１Ａから第２のラベル１１Ｂを分離したとき、第２のラベル１２Ｂは既に第１の剥離紙１２Ａから剥離された部分をラベル貼付板３１に直ちに貼り付けできる。即ち、第２のラベル１１Ｂは、第２の剥離紙１２Ｂから剥離する手間を伴なうことなく、ラベル貼付板３１に簡易に貼り付けできる。
【００２４】
▲２▼第２のラベル１１Ｂはラベル貼付板３１に簡易に貼り付けできるから、多数の第２のラベル１１Ｂを並べて貼り付けることにより、第２のラベル１１Ｂに付されている情報をバーコードリーダでスキャンする等により、簡易、迅速に読み取り処理できる。
▲３▼上述▲１▼、▲２▼により、検品作業の生産性を向上できる。
【００２５】
【発明の効果】
以上のように本発明によれば、仕分けゾーンに仕分けられた物品を簡易に検品することができる。
【図面の簡単な説明】
【図１】図１は検品用ラベルを示す模式図である。
【図２】図２は仕分けゾーンにおける第１のラベルと第２のラベルの貼り付け作業を示す模式図である。
【図３】図３は第２のラベルの読み取り処理作業を示す模式図である。
【図４】図４は従来の検品用ラベルを示す模式図である。
【符号の説明】
１０  検品用ラベル
１１Ａ  第１のラベル
１１Ｂ  第２のラベル
１２Ａ  第１の剥離紙
１２Ｂ  第２の剥離紙
１３  分離線
２０  物品ケース（物品）
３０  かご車（仕分けゾーン）
３１  ラベル貼付板（ラベル貼付部）
【図１】
0003999048.tif 000002
【図２】
0003999048.tif 000003
【図３】
0003999048.tif 000004
【図４】
0003999048.tif 000005